(57)【要約】【課題】光変調装置に塵埃が偏って付着することを抑制するプロジェクターを提供する。【解決手段】プロジェクターは、光源と、光源から射出された光束を画像情報に応じて変調する光変調装置５と、光変調装置５に冷却風を送出する冷却ファン６１と、光変調装置５の光束入射側端面に沿う方向において、冷却風の風向きを経時的に変更させる風向調整部７と、を備える。【選択図】図２
2013156322.tif 000002
【特許請求の範囲】
【請求項１】
光源と、前記光源から射出された光束を画像情報に応じて変調する光変調装置とを備えたプロジェクターであって、
前記光変調装置に冷却風を送出する冷却ファンと、
前記光変調装置の光束入射側端面に沿う方向において、前記冷却風の風向きを経時的に変更させる風向調整部と、
を備えることを特徴とするプロジェクター。
【請求項２】
請求項１に記載のプロジェクターであって、
前記風向調整部は、少なくとも前記光束入射側端面における中央部へ前記冷却風が送風されるように、前記冷却風の風向きを変更させることを特徴とするプロジェクター。
【請求項３】
請求項１または請求項２に記載のプロジェクターであって、
前記冷却ファンから送出された前記冷却風を前記光変調装置に導くダクトを備え、
前記ダクトは、前記冷却風を前記光変調装置に向けて吹き出す吹出し口を有し、
前記風向調整部は、前記吹出し口に配置されて前記冷却風の風向きを変更させる可動部を有していることを特徴とするプロジェクター。
【請求項４】
請求項１〜請求項３のいずれか一項に記載のプロジェクターであって、
前記冷却ファンから送出された前記冷却風を前記光束入射側端面における中央部へ導く流路を有し、
前記風向調整部は、前記流路の外側に流通する冷却風の風向きを変更させることを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調し、変調した光束をスクリーン等の投写面に投写するプロジェクターが知られている。このプロジェクターには、光源からの光束を変調するための光変調装置等の光学部品が備えられている。そして、これらの光学部品は、光源からの光束が入射することによって発熱して光学特性が低下するため、これら光学部品（冷却対象）を冷却するための技術が提案されている（例えば、特許文献１参照）。
【０００３】
特許文献１に記載のプロジェクターは、冷却対象を冷却するための冷却風を送出する送風機と、冷却風を冷却対象の近傍まで導き、吹出口から冷却対象に向けて冷却風を吹き出させる送風ダクトと、冷却対象の位置に合わせて吹出口から吹き出される冷却風の風向きを変更させる風向変更手段と、を備えている。冷却対象としては、赤色光、緑色光、青色光にそれぞれ設けられた入射側偏光板、空間光変調装置、および射出側偏光板が構成されている。
風向変更手段は、風向変更板を備え、冷却対象の位置調整に合わせて風向変更板が回転されることにより、冷却風の風向きを調整できるように構成されている。
【先行技術文献】
【特許文献】
【０００４】
【特許文献１】特開２０１１−１４１５０１号公報
【発明の概要】
【発明が解決しようとする課題】
【０００５】
しかしながら、特許文献１に記載の技術は、風向変更板の調整後においては、風向きが固定されるため、冷却風によって運ばれる塵埃が空間光変調装置や偏光板の表面に偏って付着する恐れがある。空間光変調装置や偏光板の表面に塵埃が付着すると、投写される画像に明るさのムラや色ムラ等が発生し、画質が劣化するという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源と、前記光源から射出された光束を画像情報に応じて変調する光変調装置とを備えたプロジェクターであって、前記光変調装置に冷却風を送出する冷却ファンと、前記光変調装置の光束入射側端面に沿う方向において、前記冷却風の風向きを経時的に変更させる風向調整部と、を備えることを特徴とする。
【０００８】
この構成によれば、冷却ファンから送出された冷却風は、光変調装置に送風され、風向調整部によって光変調装置の光束入射側端面に沿う方向における風向きが変更される。これによって、光変調装置を冷却しつつ、冷却風によって運ばれる塵埃が光変調装置の光束入射側端面および光束射出側端面に偏って付着することを抑制することが可能となる。よって、プロジェクターは、光変調装置の劣化が抑制されつつ、明るさのムラや色ムラ等の画質の劣化を抑制した画像の投影が可能となる。
【０００９】
［適用例２］上記適用例に係るプロジェクターにおいて、前記風向調整部は、少なくとも前記光束入射側端面における中央部へ前記冷却風が送風されるように、前記冷却風の風向きを変更させることが好ましい。
【００１０】
光変調装置は、光の入射に伴って中央部が最も発熱する。この構成によれば、風向調整部は、光変調装置の最も発熱する中央部へ少なくとも冷却風が送風されるように冷却風の風向きを変更させるので、光変調装置を効率的に冷却しつつ、光変調装置の表面に塵埃が偏って付着することを抑制することが可能となる。
【００１１】
［適用例３］上記適用例に係るプロジェクターにおいて、前記冷却ファンから送出された前記冷却風を前記光変調装置に導くダクトを備え、前記ダクトは、前記冷却風を前記光変調装置に向けて吹き出す吹出し口を有し、前記風向調整部は、前記吹出し口に配置されて前記冷却風の風向きを変更させる可動部を有していることが好ましい。
【００１２】
この構成によれば、プロジェクターは、冷却ファンから送出された冷却風を光変調装置に導くダクトを備え、風向調整部の可動部は、ダクトの吹出し口に配置されている。これによって、冷却ファンからの冷却風を効率よく光変調装置に導いて光変調装置の表面に送風される冷却風の風向きを変更することができる。よって、冷却ファンの小型化や、冷却ファンの低電圧駆動による低騒音化を図りつつ、光変調装置の冷却、および光変調装置の表面に塵埃が偏って付着することを抑制することが可能となる。
【００１３】
［適用例４］上記適用例に係るプロジェクターにおいて、前記冷却ファンから送出された前記冷却風を前記光束入射側端面における中央部へ導く流路を有し、前記風向調整部は、前記流路の外側に流通する冷却風の風向きを変更させることが好ましい。
【００１４】
この構成によれば、光変調装置表面の中央部への冷却風の確実な送風、およびこの中央部の外側の領域（外側領域）への冷却風の風向きを変更させることが可能となる。よって、光変調装置の効率的な冷却、および外側領域への塵埃が偏って付着することを抑制することが可能となる。この外側領域には、例えば、光変調装置に備えられた液晶パネルと液晶パネルを保持する部材との段差となる箇所、すなわち塵埃が偏って付着する恐れのある箇所等があり、この箇所への冷却風の風向きを変えることで、塵埃が偏って付着することを効率よく抑制することが可能となる。
【図面の簡単な説明】
【００１５】
【図１】第１実施形態のプロジェクターの概略構成を示す模式図。
【図２】第１実施形態の光変調装置、冷却装置の一部、および風向調整部の概略構成を示す模式図。
【図３】第１実施形態の光変調装置、ダクトの一部、および風向調整部を示す模式図。
【図４】第２実施形態の光変調装置、ダクトの一部、および風向調整部を示す模式図。
【発明を実施するための形態】
【００１６】
（第１実施形態）
以下、第１実施形態に係るプロジェクターについて、図面を参照して説明する。
本実施形態のプロジェクターは、光源から射出された光束を画像情報に応じて変調してスクリーン等に拡大投写する。
【００１７】
〔プロジェクターの主な構成〕
図１は、本実施形態のプロジェクター１の概略構成を示す模式図である。
プロジェクター１は、図１に示すように、外装を構成する外装筐体２、制御部（図示省略）、光源装置３１を有する光学ユニット３、冷却装置６、および風向調整部７（図２参照）を備えている。なお、図示は省略するが、外装筐体２の内部には、さらに、光源装置３１や制御部に電力を供給する電源装置等が配置されている。
【００１８】
外装筐体２は、詳細な説明は省略するが、上部を構成する上ケース、下部を形成する下ケース等を有し、これらは、ネジ等により固定されている。そして、外装筐体２には、外気を取り込むための吸気口、および外装筐体２内部の温まった空気を外部に排気する排気口等が設けられている。なお、吸気口には、図示しない防塵フィルターが配置されており、外気に混入している塵埃の侵入を抑制するように構成されている。
【００１９】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や冷却装置６に備えられた冷却ファン６１の駆動等の制御を行う。
【００２０】
光学ユニット３は、制御部による制御の下、光源装置３１から射出された光束を光学的に処理して投写する。
光学ユニット３は、図１に示すように、光源装置３１に加え、インテグレーター照明光学系３２、色分離光学系３３、リレー光学系３４、電気光学装置４、投写レンズ３６、およびこれらの部材を光路上の所定位置に配置する光学部品用筐体３８を備えている。
【００２１】
光学ユニット３は、図１に示すように平面視略Ｌ字状に形成され、一方の端部に光源装置３１が着脱可能に配置され、他方の端部に投写レンズ３６が配置される。なお、以下では、説明の便宜上、光源装置３１から光束が射出される方向を＋Ｘ方向（左方向）、投写レンズ３６から光束が射出される方向を＋Ｙ方向（前方向）、プロジェクター１が机上等に据え置かれた据置姿勢における上方を＋Ｚ方向（上方向）として記載する。
【００２２】
光源装置３１は、超高圧水銀ランプやメタルハライドランプ等からなる放電型の光源３１１およびリフレクター３１２等を備える。そして、光源装置３１は、光源３１１から射出された光束をリフレクター３１２によって射出方向を揃え、インテグレーター照明光学系３２に向けて射出する。
【００２３】
インテグレーター照明光学系３２は、第１レンズアレイ３２１、第２レンズアレイ３２２、偏光変換素子３２３、および重畳レンズ３２４を備える。
第１レンズアレイ３２１は、光源装置３１から射出された光束を複数の部分光束に分割する光学部材であり、光源装置３１から射出された光束の光軸Ｌに対して略直交する面内にマトリックス状に配列される複数の小レンズを備えている。
【００２４】
第２レンズアレイ３２２は、第１レンズアレイ３２１と略同様の構成を有しており、重畳レンズ３２４とともに、第１レンズアレイ３２１から射出された部分光束を後述する液晶パネル５２の表面に重畳させる。
偏光変換素子３２３は、第２レンズアレイ３２２から射出されたランダム光を液晶パネル５２で利用可能な略１種類の偏光光に揃える機能を有する。
【００２５】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００２６】
リレー光学系３４は、入射側レンズ３４１、リレーレンズ３４３、および反射ミラー３４２，３４４を備え、色分離光学系３３で分離されたＲ光をＲ光用の液晶パネル５２Ｒまで導く機能を有する。なお、光学ユニット３は、リレー光学系３４がＲ光を導く構成としているが、これに限らず、例えば、Ｂ光を導く構成としてもよい。
【００２７】
電気光学装置４は、Ｒ光、Ｇ光、Ｂ光の各色光用に設けられた光変調装置５（Ｒ光用の光変調装置を５Ｒ、Ｇ光用の光変調装置を５Ｇ、Ｂ光用の光変調装置を５Ｂとする）、および色合成光変調装置としてクロスダイクロイックプリズム４１を備え、色分離光学系３３で分離された各色光を画像情報に応じて変調し、変調した各色光を合成する。また、各光変調装置５Ｒ，５Ｇ，５Ｂは、それぞれ光軸５Ｒｊ，５Ｇｊ，５Ｂｊを有している。
【００２８】
各光変調装置５は、入射側偏光板５１、液晶パネル５２（Ｒ光用の液晶パネルを５２Ｒ、Ｇ光用の液晶パネルを５２Ｇ、Ｂ光用の液晶パネルを５２Ｂとする）、および射出側偏光板５４を備えている。
【００２９】
液晶パネル５２は、詳細な図は省略するが、一対の透明なガラス基板に電気光学物質である液晶が密閉封入され、微小画素がマトリックス状に形成された矩形状の画素領域を有している。液晶パネル５２は、色光が通過する開口部を有する保持枠に外周部が保持され、図示しないフレキシブル基板を介して制御部に接続されている。
光変調装置５は、制御部から入力された駆動信号に応じて液晶パネル５２の液晶の配向状態が制御され、入射する色光を画像情報に応じて変調する。
【００３０】
クロスダイクロイックプリズム４１は、４つの直角プリズムを貼り合わせた平面視略正方形状をなし、各光変調装置５が対向して配置される３つの光束入射側端面を有している。そして、クロスダイクロイックプリズム４１は、直角プリズム同士を貼り合わせた界面に、２つの誘電体多層膜が形成されている。クロスダイクロイックプリズム４１は、誘電体多層膜が光変調装置５Ｒ，５Ｂにて変調された色光を反射し、光変調装置５Ｇにて変調された色光を透過して、各色光を合成する。
【００３１】
投写レンズ３６は、複数のレンズを組み合わせた組レンズとして構成され、光変調装置５にて変調され、クロスダイクロイックプリズム４１にて合成された光をスクリーン上に拡大投写する。
【００３２】
冷却装置６は、図１に示すように、冷却ファン６１およびダクト６２を備えている。冷却装置６は、冷却ファン６１の駆動により外装筐体２の吸気口から防塵フィルターを介して外気を取り込み、取り込んだ外気をダクト６２によって導き、各光変調装置５Ｒ，５Ｇ，５Ｂに冷却風として送風する。
【００３３】
風向調整部７は、ダクト６２から送出された冷却風の風向きを経時的に変え、防塵フィルターで防止できなかったプロジェクター１外部からの塵埃や、吸気口以外の外装筐体２の隙間等から侵入した塵埃が光変調装置５の表面に偏って付着することを防止するように構成されている。具体的には後で説明するが、風向調整部７は、ダクト６２の吹出し口６２Ｂに配置される可動部７１を備え（図２参照）、この可動部７１が回転することにより各光変調装置５の表面に沿って流れる冷却風の風向きを変える。
【００３４】
ここで、冷却装置６、および風向調整部７について、詳細に説明する。また、説明の便宜上、光変調装置５Ｇに注目して説明する。
図２は、光変調装置５Ｇ、冷却装置６の一部、および風向調整部７の概略構成を示す模式図であり、光変調装置５Ｇの光軸５Ｇｊに直交する方向から見た図である。
【００３５】
〔冷却装置の構成〕
先ず、冷却装置６について詳細に説明する。
冷却装置６は、前述したように、冷却ファン６１に加え、ダクト６２を備えている。
冷却ファン６１は、吸入口６１Ａ（図１参照）、および送出口６１Ｂ（図２参照）を有するシロッコファンで構成され、吸入口６１Ａから取り込んだ空気を冷却風として送出口６１Ｂから送出する。
【００３６】
ダクト６２は、冷却ファン６１から送出された冷却風を各光変調装置５Ｒ，５Ｇ，５Ｂに導く機能を有している。ダクト６２は、図２に示すように、冷却ファン６１の送出口６１Ｂから光変調装置５Ｇの下方に延出して形成されている。ダクト６２は、冷却ファン６１の送出口６１Ｂから送出された空気が流入する流入口６２Ａ、および光変調装置５Ｇの下方、具体的には、入射側偏光板５１、液晶パネル５２Ｇ、および射出側偏光板５４の下方に位置し、流入した空気が上方に向けて吹き出される矩形状の吹出し口６２Ｂを有している。なお、図示は省略するが、ダクト６２は、流入口６２Ａから分岐し、光変調装置５Ｒ，５Ｂの下方にもそれぞれ延出して形成されており、それぞれの入射側偏光板５１、液晶パネル５２Ｒ，５２Ｂ、および射出側偏光板５４の下方に位置する吹出し口を有している。
【００３７】
〔風向調整部の構成〕
次に、風向調整部７について、詳細に説明する。
風向調整部７は、図２に示すように、前述した可動部７１に加え駆動部７２を備えている。風向調整部７は、各光変調装置５Ｒ，５Ｇ，５Ｂの下方に設けられたダクト６２の各吹出し口６２Ｂにそれぞれ配置されている。
可動部７１は、図２に示すように、この図面視における吹出し口６２Ｂの右側の縁部に配置された第１可動部７１１、および吹出し口６２Ｂの左側の縁部に配置された第２可動部７１２を有している。
【００３８】
第１可動部７１１、第２可動部７１２は、詳細な図は省略するが、平面視矩形の板状に形成されており、一方の端部が吹出し口６２Ｂの縁部に、光軸５Ｇｊに沿う軸を中心としてそれぞれ回転可能に軸支されている。また、第１可動部７１１、第２可動部７１２には、ダクト６２に軸支されている軸を中心とする歯車７１１Ｇ，７１２Ｇが設けられている。
【００３９】
駆動部７２は、詳細な図は省略するが、モーターやモーターの回転力を第１可動部７１１に伝達する歯車等を有する輪列機構７２１、および第１可動部７１１の回転を第２可動部７１２に伝達するラック７２２を備えている。輪列機構７２１は、歯車７１１Ｇに噛合され、図２に示すように、第１可動部７１１近傍のダクト６２の外側に配置される。ラック７２２は、歯車７１１Ｇ，７１２Ｇに噛合されてダクト６２の外側に配置される。そして、駆動部７２は、図示しないケーブルを介して制御部に接続されている。
【００４０】
駆動部７２は、制御部の指示に基づいて輪列機構７２１が回転し、輪列機構７２１の回転方向に応じた方向に第１可動部７１１を回転させる。第１可動部７１１が回転すると、第２可動部７１２は、ラック７２２が移動することにより、第１可動部７１１と同一方向に回転する。
【００４１】
〔風向調整部の動作および冷却風の流れ〕
ここで、風向調整部７の動作、および冷却装置６から送風された冷却風の流れについて、光変調装置５Ｇに注目して説明する。
風向調整部７は、制御部の指示に基づいて駆動部７２のモーターの回転方向に応じて第１可動部７１１、第２可動部７１２が正逆方向に回転し、冷却装置６から送風された冷却風の風向きを変える。
【００４２】
具体的に、第１可動部７１１、第２可動部７１２は、図２の二点鎖線に示す上下方向に沿う状態を基準状態として、正逆方向に回転される。そして、この基準状態において、吹出し口６２Ｂから吹出された冷却風は、第１可動部７１１、第２可動部７１２に案内されて、光変調装置５Ｇの下方から鉛直方向に沿う風向きで上方に送風される。そして、光変調装置５Ｇの表面、すなわち、入射側偏光板５１、液晶パネル５２Ｇ、および射出側偏光板５４のそれぞれの光束入射側端面、および光束射出側端面には、色光が通過する領域における中央部５Ｇｃを中心として冷却風が送風される。
【００４３】
この基準状態から、駆動部７２のモーターが一方の方向に回転されると、輪列機構７２１に噛合されている第１可動部７１１は、図２に示すように、先端側（光変調装置５Ｇ側）が左方に移動するように（図２における反時計回りに）回転する。第１可動部７１１が反時計回りに回転すると、ラック７２２が右方に移動することによって、第２可動部７１２も反時計回りに回転する。そして、モーターが一方の方向に所定の量、回転されると、第１可動部７１１、第２可動部７１２は、図２に示すように、左方に最も傾斜した最大左方傾斜状態となる。
そして、最大左方傾斜状態において、吹出し口６２Ｂから吹出された冷却風は、光変調装置５Ｇの表面の中央部５Ｇｃを含む左側の領域に送風される。
【００４４】
この基準状態から最大左方傾斜状態の間で、ダクト６２から吹出された冷却風は、第１可動部７１１、第２可動部７１２に案内されて、鉛直方向に沿う風向きから左方に傾斜する風向きに徐々に変わる。そして、光変調装置５Ｇの表面、すなわち光変調装置５Ｇに備えられた入射側偏光板５１、液晶パネル５２Ｇ、および射出側偏光板５４の光束入射側端面および光束射出側端面には、中央部５Ｇｃから中央部５Ｇｃの左側（図２の図面視における左側）の領域を掃うように冷却風が送風される。
【００４５】
最大左方傾斜状態になると、駆動部７２のモーターは、制御部の指示に基づいて他方の方向に回転が切り替わる。駆動部７２のモーターが他方の方向に回転すると、輪列機構７２１およびラック７２２は、モーターが一方の方向に回転された際と逆方向に動作し、第１可動部７１１、第２可動部７１２は、図２の図面視における時計回りに回転する。そして、モーターが他方の方向に所定の量、回転されると、第１可動部７１１、第２可動部７１２は、基準状態を経て、右方に最も傾斜した最大右方傾斜状態となる。
【００４６】
図３は、最大右方傾斜状態における光変調装置５Ｇ、ダクト６２の一部、および風向調整部７を示す模式図である。
図３に示すように、最大右方傾斜状態において、ダクト６２から吹出された冷却風は、光変調装置５Ｇの表面の中央部５Ｇｃを含む右側の領域に送風される。
【００４７】
最大左方傾斜状態から最大右方傾斜状態の間で、ダクト６２から吹出された冷却風は、第１可動部７１１、第２可動部７１２に案内されて、図２、図３の図面視における左方に傾斜する風向きから右方に傾斜する風向きに徐々に変わる。そして、光変調装置５Ｇの表面には、中央部５Ｇｃの左側の領域から右側の領域を掃うように冷却風が送風される。
【００４８】
最大右方傾斜状態になると、駆動部７２のモーターは、制御部の指示に基づいて一方の方向に回転が切り替わり、第１可動部７１１、第２可動部７１２は、最大左方傾斜状態に向かって回転する。最大右方傾斜状態から最大左方傾斜状態の間で、光変調装置５Ｇの表面には、中央部５Ｇｃの右側の領域から左側の領域を掃うように冷却風が送風される。
そして、駆動部７２は、制御部の指示に基づいて、第１可動部７１１、第２可動部７１２が最大左方傾斜状態と最大右方傾斜状態とを繰り返すように回転させる。
【００４９】
また、駆動部７２は、制御部の指示に基づいて、冷却ファン６１が駆動される間、第１可動部７１１、第２可動部７１２を経時的に回転させる。
具体的に、駆動部７２は、風向調整部７の動作による騒音が発生しない程度や、風向調整部７の駆動のための消費電力が増大しない程度の間隔で、最大左方傾斜状態と最大右方傾斜状態とを往復するように第１可動部７１１、第２可動部７１２を回転させる。
また、第１可動部７１１、第２可動部７１２の回転速度は、一定に限らず、経時的に変わるように構成してもよく、冷却ファン６１が駆動される間、第１可動部７１１、第２可動部７１２が断続的に回転するように構成してもよい。
【００５０】
このように、風向調整部７は、光軸５Ｇｊに直交する光変調装置５Ｇの表面に沿う方向において、冷却風の風向きを経時的に変更させる。また、風向調整部７は、最大左方傾斜状態および最大右方傾斜状態においても、光変調装置５Ｇの表面の光束が入射する領域における中央部５Ｇｃへ少なくとも冷却風が送風されるように、冷却風の風向きを変更させる。よって、風向調整部７がどの位置にあっても、中央部５Ｇｃには常に冷却風が送風されるように設定されている。
【００５１】
詳細な説明は省略するが、光変調装置５Ｒ，５Ｂ用に設けられた風向調整部７も光変調装置５Ｇ用に設けられた風向調整部７と同様に機能し、ダクト６２から吹出された冷却風は、光変調装置５Ｒ，５Ｂを冷却すると共に、光変調装置５Ｒ，５Ｂの表面を掃うように送風される。
【００５２】
以上説明したように、本実施形態のプロジェクター１によれば、以下の効果を得ることができる。
（１）冷却ファン６１から送出された冷却風は、光変調装置５を冷却すると共に、光変調装置５の表面を掃うように送風される。これによって、光変調装置５の温度上昇による劣化を抑制しつつ、防塵フィルターでプロジェクター１内部への侵入を防止できなかった塵埃や外装筐体２の隙間等から侵入する塵埃が冷却風によって運ばれて光変調装置５の表面に偏って付着することを抑制することが可能となる。よって、プロジェクター１は、長期に亘って明るさのムラや色ムラ等の画質の劣化を抑制した画像の投影が可能となる。
【００５３】
（２）風向調整部７は、少なくとも光変調装置５の最も発熱する中央部５Ｇｃへ冷却風が常に送風されるように冷却風の風向きを変更させるので、光変調装置５を効率的に冷却しつつ、光変調装置５の表面に塵埃が偏って付着することを抑制することが可能となる。
【００５４】
（３）風向調整部７の可動部７１は、ダクト６２の吹出し口６２Ｂに配置されている。これによって、冷却ファン６１からの冷却風を効率よく光変調装置５に導いて光変調装置５の表面に送風される冷却風の風向きを変更することができる。よって、冷却ファン６１の小型化や、冷却ファン６１の低電圧駆動による低騒音化を図りつつ、光変調装置５の冷却、および光変調装置５の表面に塵埃が偏って付着することを抑制することが可能となる。
【００５５】
（第２実施形態）
次に、第２実施形態に係るプロジェクター１について、図面を参照して説明する。以下の説明では、第１実施形態のプロジェクター１と同様の構造および同様の部材には、同一の符号を付し、その詳細な説明は省略または簡略化する。
【００５６】
本実施形態のプロジェクター１は、第１実施形態のダクト６２とは異なるダクト８を備えている。図４は、本実施形態の光変調装置５Ｇ、ダクト８の一部、および風向調整部７を示す模式図である。
【００５７】
ダクト８は、図４に示すように、第１実施形態のダクト６２には設けられていない流路８２を有している。なお、図示は省略するが、光変調装置５Ｒ，５Ｂ用に設けられたダクト８の吹出し口には、同様の流路が設けられている。
【００５８】
流路８２は、吹出し口８１の縁部に並設された２つの壁部８２１，８２２の間に設けられている。壁部８２１，８２２は、図４の図面視において、流路８２がダクト８の中央部に形成されるよう、所定の間隔てて上下方向に沿って延出している。
【００５９】
冷却ファン６１から送出された冷却空気は、流路８２、および流路８２の両側、具体的には、壁部８２１とダクト８の内壁との間、壁部８２２とダクト８の内壁との間、に分岐されて吹出し口８１から送出される。
そして、流路８２から送出される冷却風は、主に光変調装置５Ｇの表面の中央部５Ｇｃに送風される。
【００６０】
一方、流路８２の両側を流れる冷却風は、第１可動部７１１、第２可動部７１２の回転によって風向きが変更される。具体的に、壁部８２１とダクト８の内壁との間から送出される冷却風は、第１可動部７１１によって風向きが変更され、図４の図面視における光変調装置５Ｇの中央領域の右側の領域を掃うように送風される。同様に、壁部８２２とダクト８の内壁との間から送出される冷却風は、第２可動部７１２によって風向きが変更され、図４の図面視における光変調装置５Ｇの中央領域の左側の領域を掃うように送風される。
【００６１】
このように、流路８２は、冷却ファン６１から送出された冷却風を光変調装置５の表面における中央部５Ｇｃへ導く。そして、風向調整部７は、流路８２の外側に流通する冷却風の風向きを変更させる。
【００６２】
以上説明したように、本実施形態のプロジェクター１によれば、以下の効果を得ることができる。
（１）可動部７１の回転により冷却風の風向きが変更されても、光変調装置５表面の中央部５Ｇｃには、流路８２に流れる冷却風が確実に送風される。これによって、光変調装置５は、光の入射によって周辺部より温度が上昇する中央部５Ｇｃに確実に冷却風が送風されるので、効率的に冷却される。
また、可動部７１の回転により、中央部５Ｇｃの外側の領域（外側領域）への冷却風の風向きが変更されるので、外側領域への塵埃が偏って付着することを抑制することが可能となる。この外側領域として例えば、液晶パネル５２と液晶パネルを保持する保持枠との段差となる箇所、すなわち塵埃が偏って付着する恐れのある箇所があり、この箇所への冷却風の風向きを変えることで、塵埃が偏って付着することを効率よく抑制することが可能となる。
【００６３】
（２）第１可動部７１１、第２可動部７１２の回転する量が小さくとも、塵埃が偏って付着しがちな液晶パネル５２と、液晶パネル５２を保持する保持枠との段差となる箇所に送風される冷却風の風向きを変更できるので、風向調整部７の小型化を図りつつ、液晶パネル５２の表面に塵埃が偏って付着することを効率的に抑制することが可能となる。
【００６４】
（変形例）
なお、前記実施形態は、以下のように変更してもよい。
また、第１可動部７１１の先端と第２可動部７１２の先端の間隔が変更可能、つまり第１可動部７１１と第２可動部７１２との間から送出される冷却空気の風速が変わるように構成してもよい。
【００６５】
各光変調装置５Ｒ，５Ｇ，５Ｂ用に設けられた可動部７１が異なるタイミングで回転したり、互いに異なる方向に回転したりすることが可能となるように構成してもよい。
【００６６】
第１可動部７１１、第２可動部７１２の回転速度や回転可能な範囲が調整可能となるように構成してもよい。
また、プロジェクター１の据置姿勢と、据置姿勢に対してプロジェクター１が上下反転して設置される天吊り姿勢とで、第１可動部７１１、第２可動部７１２の回転速度や回転可能な範囲が切り替えられるように構成してもよい。
【００６７】
液晶パネル５２専用に冷却風が送出される送出口をダクト６２，８に設け、この送出口に風向調整部７を配置するように構成してもよい。つまり、塵埃の付着によって画像の品質が著しく悪化する液晶パネル５２の光束入射側端面、および光束射出側端面に送風される冷却風の風向きが主に変わるように構成してもよい。
【００６８】
前記実施形態の第２可動部７１２は、ラック７２２によって第１可動部７１１の回転が第２可動部７１２に伝達されるように構成されているが、ラック７２２に替えて伝達用ベルト等を用いて構成してもよい。
また、１つのモーターで各光変調装置５Ｒ，５Ｇ，５Ｂ用に設けられた可動部７１を回転させるように構成してもよい。
また、モーターに替えてソレノイドを用いて可動部７１を回転させるように構成してもよい。
【００６９】
前記実施形態の冷却装置６は、１つの冷却ファン６１を有して構成されているが、複数の冷却ファン６１を有するように構成してもよい。
【００７０】
前記実施形態の光変調装置５は、入射側偏光板５１、液晶パネル５２、および射出側偏光板５４を有して構成されているが、これらの部材に加え、光学補償素子（入射する光束の位相のずれを補償する素子）や、位相差板等を有するように光変調装置５を構成してもよい。
【００７１】
前記実施形態の光変調装置５は、透過型の液晶パネル５２を有して構成されているが、反射型液晶パネルを利用したものであってもよい。
【００７２】
光源３１１は放電型のランプに限らず、その他の方式のランプや発光ダイオード等の固体光源で構成してもよい。
【符号の説明】
【００７３】
１…プロジェクター、２…外装筐体、３…光学ユニット、４…電気光学装置、５，５Ｒ，５Ｇ，５Ｂ…光変調装置、５Ｒｊ，５Ｇｊ，５Ｂｊ…光軸、６…冷却装置、７…風向調整部、８，６２…ダクト、３１…光源装置、５１…入射側偏光板、５２，５２Ｒ，５２Ｇ，５２Ｂ…液晶パネル、５４…射出側偏光板、６１…冷却ファン、６２Ｂ，８１…吹出し口、７１…可動部、７２…駆動部、８２…流路、３１１…光源、７１１…第１可動部、７１２…第２可動部、７１１Ｇ…歯車、７２１…輪列機構、７２２…ラック、８２１，８２２…壁部。
【図１】
2013156322.tif 000003
【図２】
2013156322.tif 000004
【図３】
2013156322.tif 000005
【図４】
2013156322.tif 000006